(57)【要約】  視覚的要素を取り付ける壁中へのひび割れや裂け目を模倣するためにデカール又は他の装置を含む三次元の視覚的要素を提供する。また、視覚的要素が幾つかの効用も提供するように、視覚的要素は、照明体、棚支持体、電子装置等の機能的特徴部も含む。一実施例では、サッカーボールの三次元表現体を提供し、このサッカーボールを、本装置を取り付ける壁内にひび割れを表現するように、ひび割れパターンを有する透明なプラスチック製デカールで囲む。この例示的実施形態におけるサッカーボール球殻内には、本装置を常夜灯として使用可能にする照明要素が存在する。【選択図】図１
2013545629.tif 000002
【特許請求の範囲】
【請求項１】
（ｉ）壁面に取り付けるように適合された視覚的要素；（ｉｉ）前記壁面のひび割れ又は裂け目を模倣するデカール又は他の装置；及び（ｉｉｉ）更に機能的装置又は特徴部を含む、三次元の視覚的装飾要素。
【請求項２】
前記視覚的要素は、１個のスポーツ用品の一部に関する外観を有する、請求項１に記載の三次元の視覚的装飾要素。
【請求項３】
前記視覚的要素は、サッカーボールの一部に関する外観を有する、請求項１に記載の三次元の視覚的装飾要素。
【請求項４】
前記壁面の前記ひび割れ又は裂け目を、前記壁面に固着されたデカール、平板又は円板によって模倣する、請求項１に記載の三次元の視覚的装飾要素。
【請求項５】
前記機能的装置又は特徴部は、照明体及び／又は常夜灯である、請求項１に記載の三次元の視覚的装飾要素。
【請求項６】
前記視覚的要素は、前記壁から少なくとも部分的に延出する部分を有する装置若しくは物体、アクションフィギュア、「スーパーヒーロー」又は他の架空フィギュアの表現体である、請求項１に記載の三次元の視覚的装飾要素。
【請求項７】
前記機能的装置又は特徴部は、支持体、棚又はフックである、請求項６に記載の三次元の視覚的装飾要素。
【請求項８】
前記棚は、電子装置用支持体として使用される、請求項７に記載の三次元の視覚的装飾要素。
【請求項９】
前記電子装置は、コンピュータ、コンピュータ用モニタ、ラジオ、ＭＰ３プレーヤ、ＤＶＤ又はＣＤプレーヤ、電話、テレビ、煙探知器等である、請求項８に記載の三次元の視覚的装飾要素。
【請求項１０】
前記機能的装置又は特徴部は、前記視覚的要素に組み込まれる、請求項１に記載の三次元の視覚的装飾要素。
【請求項１１】
前記機能的装置又は特徴部は、時計、電話、スマートフォン、ＰＤＡ、ラジオ、スピーカ、ＭＰ３、テープ若しくはＣＤプレーヤを含む音楽プレーヤ、電子ゲーム機等のコンピュータ装置、若しくは該装置用アクセサリ、ＤＶＤプレーヤ、テレビ、煙探知器、又はコンピュータ用モニタである、請求項１０に記載の三次元の視覚的装飾要素。
【請求項１２】
前記視覚的要素の少なくとも一部分は、ある位置から別の位置まで移動可能である、請求項１に記載の三次元の視覚的装飾要素。
【請求項１３】
前記壁のひび割れ又は裂け目を模倣するための前記デカール又は他の装置は、壁に一時的に取着するための接着剤を有する、透明でフレキシブルなプラスチックフィルムである、請求項１に記載の三次元の視覚的装飾要素。
【請求項１４】
前記プラスチックフィルムは、前記視覚的要素の形及び大きさと合致するように成形され、大きさが決定される、請求項１３に記載の三次元の視覚的装飾要素。
【請求項１５】
前記視覚的要素は、実在の装置と本質的に同じ大きさになるように「等身大」である、請求項１に記載の三次元の視覚的装飾要素。
【請求項１６】
前記視覚的要素と組み合せて、追加の視覚的要素を更に含む、請求項１に記載の三次元の視覚的装飾要素。
【請求項１７】
前記追加の視覚的要素が、レンガ又はボードの外観を有する、請求項１６に記載の三次元の視覚的装飾要素。
【発明の詳細な説明】
【技術分野】
【０００１】
本発明は、一般に視覚的装飾品（装飾部材）、特に、壁面に取り付けるように適合された三次元の視覚的装飾要素に関する。
【背景技術】
【０００２】
壁面に取り付けて、目立った視覚的要素を提供する、様々な製品が知られている。これらは、例えば、ポスター、印刷物、絵画等を含むが、スポーツ選手、有名人、架空のキャラクタの等身大像等の製品も含む。しかしながら、棚に飾るユニット等とは違い、これらの視覚的要素は、二次元で、通常は壁にぴたりと付く。
【０００３】
壁から出て来るように見える三次元図形の表現体を提供する、他の二次元要素が知られている。一例として、シャッターストック・イメージズ社（ｗｗｗ．Ｓｈｕｔｔｅｒｓｔｏｃｋ．ｃｏｍ−画像Ｎｏ．２９８０４３４４）では、野球ボールが壁面に衝突し、壁面を割ったように見える「ひび割れ」パターンで囲まれた野球ボールの印刷を提供している。
【０００４】
これは目立った視覚的外観を提供するが、二次元画像に過ぎない。
【０００５】
壁から突出する照明器具が知られているが、これらは他の視覚的要素を含まない。
【０００６】
ガラス窓を通り抜けて来る製品の三次元表現体を模倣する、他の製品が知られている。これらの例としては、ガラスにひび割れた外観を提供するひび割れた又は亀裂の入ったデカールを含み、ガラス面に固着するよう適合された半分のゴルフボールや野球ボールがある。
【０００７】
しかしながら、これらの製品は、現実の機能的効用を全く提供せず、限定的な二次元又は三次元の視覚的要素のみを提供する。
【０００８】
そうした課題を解消するために、好適には機能的効用も提供しながら、改善した視覚効果を提供する、壁面に固着するのに適した三次元の視覚的要素を提供すると、有利であろう。
【発明の概要】
【０００９】
本発明の三次元の視覚的装飾要素の一例示的な実装を、スポーツボールの一部とし、好適には、壁面に取り付けるように適合されたサッカーボールの半分とする。任意に、しかし好適には、サッカーボールの表現体を、好適には壁に固着する平板又は円板等の透明なデカール又は他の装置で囲み、ボールが壁に衝突したところ、又は壁を通る若しくは壁から出て来るところを表現するために、壁のひび割れ又は裂け目を表現又は模倣する。
【００１０】
本実施形態の更に好適な特徴では、サッカーボール（又は他の装置）は、照明を提供するように、又は常夜灯若しくは他の照明装置として機能するように、点灯できる照明器具を含む。家庭用コンセント、電池、又は任意の電池と接続した電源アダプタを使用して、照明体に直接電力を供給できる。
【００１１】
本装置が電気部品を含む場合、自動的に電気部品を制御するコントローラを備えることが好ましい。実施例として、常夜灯機能のために、これらの制御特徴部（ｆｅａｔｕｒｅ）は、常夜灯を切／入する光センサ、常夜灯が点いている時間を限定するタイマ等を含むことがある。
【００１２】
本発明の三次元の視覚的装飾要素に関する第２の例示的な実施を、少なくとも部分的に壁から延出し、例えば腕の先に棚を組み込むことができる、身体の一部等の一部分を有する装置若しくは物体（例えば、車等）、アクションフィギュア、「スーパーヒーロー」又は他の架空のフィギュアの表現体とする。他の特徴部は、コンピュータ、コンピュータ用モニタ、ラジオ、ＭＰ３プレーヤ、ＤＶＤ若しくはＣＤプレーヤ、電話、テレビ、又は煙探知器等といった電子装置のための支持体を含んでもよい。
【００１３】
如何なる場合でも、本発明は、壁面に取付けでき、好適には、壁を突き破る、又は壁に衝突する外観の製品を作成するように、壁面のひび割れや裂け目を模倣するデカール又は他の装置を含む、三次元の視覚的装飾要素を提供する。
【００１４】
また、本発明は、例えば、照明体、棚、ハンガー若しくはフックを含む少なくとも１つの機能的特徴部を好適には組み込む、又は例えば、時計、電話、スマートフォン、ＰＤＡ、ラジオ、スピーカ、ＭＰ３、テープ若しくはＣＤプレーヤを含む音楽プレーヤ、電子ゲーム機等のコンピュータ装置、若しくは該装置用アクセサリ、ＤＶＤプレーヤ、テレビ、煙探知器、又はコンピュータ用モニタ等を含む電子装置等の製品若しくは製品用支持体を組み込む、三次元の視覚的装飾要素も提供する。この様に、三次元の視覚的要素は、目立った視覚的装飾を提供するだけではなく、（多）機能的効用も組み込む。
【００１５】
従って、最も好適な実施形態では、本発明は、（ｉ）壁面に取り付けるように適合された視覚的要素；（ｉｉ）壁面のひび割れ又は裂け目を模倣するデカール又は他の装置；及び（ｉｉｉ）更に機能的装置又は特徴部を含む、三次元の視覚的装飾要素を提供する。
【００１６】
（発明の詳細な説明）
視覚的要素を、ユーザが壁に映し出したい任意の適当な要素とすることができる。視覚的要素の実施例は、スポーツ用品（例えば、野球ボール、バスケットボール、サッカーボール、アイスホッケー用パック、フットボール用ボール、フリスビー等）、自然をテーマにした製品（例えば、岩石の露出部、木の大枝等）、スポーツ選手、有名人、架空のキャラクタ等を含むことができる。視覚的要素は、好適には、実在の装置の表現体を提供するだけでなく、抽象的な視覚的要素とすることができる。壁から突出する視覚的要素部分は、通常静止しているが、移動可能にしてもよい。例えば、壁から突出する架空のキャラクタの腕を、ある位置から別の位置まで移動可能にしてもよい。
【００１７】
壁のひび割れ又は裂け目を模倣するデカール又は他の装置を、中実の円板又は平板とすることができるが、より好適には、壁に一次的に取着するためのマイルドな接着剤を有する、透明でフレキシブルなプラスチックフィルムによって、壁自体に又は既存の壁装材に損傷を与えずに取り付けられる。ひび割れ又は裂け目のデザインを、円板、平板、又はフレキシブルなプラスチックフィルム上に印刷でき、通常、円板、平板又はプラスチックフィルムを、視覚的要素の外側周りに設ける。
【００１８】
丸い視覚的要素（サッカーボール等）に関しては、円板、平板又はプラスチックフィルムを、概して、円形としてもよいが、他の視覚的要素に関しては、円板、平板又はプラスチックフィルムの形や大きさを、視覚的要素の形や大きさに合うように変化させることができる。
【００１９】
好適には、視覚的要素を、実際の装置と本質的に同じ大きさになるように「等身大」にする。例えば、サッカーボール照明体は、サッカーボールの規定サイズのサッカーボール球殻を有すると好ましいであろう。
【００２０】
視覚的要素を、その意図する使用に応じて、任意の適当な材料から製造できる。そうした材料としては、木、段ボール、紙、セラミック、金属等が挙げられる。それでも最も好適には、視覚的要素を、任意の適当な技術を使用して、適切な形状に形成できるプラスチック材料から作製する。そうした技術は、ブロー成形、射出成形、真空成形等を含んでもよい。
【００２１】
また、様々な材料の組合せを使用してもよく、リアルな視覚的表現体を提供するために、視覚的要素を塗装又は着色できる。照明体又は常夜灯として使用する場合、プラスチックを、特にこれらの要素のプラスチック材料の全て又は一部を半透明にすると、特に好ましい。
【００２２】
視覚的要素を、糊若しくは他の接着剤、ネジ、ボルト、釘、ワイヤ又は他の任意の適当な装置若しくは材料を含む、任意の適当な装置を使用して壁に取着できる。取着装置は、本質的には永久装置とすることができ、又は（例えば）季節毎の製品を取着する場合等は、一時装置とすることができる。
【００２３】
機能的特徴部は、通常は、照明体若しくは常夜灯として機能させるための照明体の組込み、若しくは、棚若しくは、フック、ハンガー、籠、ポケット、箱等といった他の保持装置の組込みであり、又は上述した電子装置のような様々な装置を、視覚的装置自体に直接組み込むこともできる。照明製品の場合には、照明体を、家庭用配線を使用して、又は交換可能若しくは再充電可能な電池を使用して、作動できる白熱灯、蛍光灯、小型蛍光灯、ＬＥＤ灯等といった照明体を含む、任意の適当な照明体とすることができる。また、照明製品は、複数の照明要素を含んでもよく、又は多色照明要素若しくは特徴部を含んでもよい。
【００２４】
必要に応じて、機能的特徴部は、音量、チャンネル、表示又は電源切／入機能といった特徴部を直接制御することを含むことができるが、適当な無線技術を使用して、これらの機能的特徴部の何れか又は全てを遠隔制御することを組み込んでもよい。更に、機能的特徴部又は装置は、その機能を制御するために、光センサ又はモーションセンサ等の他の装置を含むことができる。
【００２５】
通常、視覚的要素は、標準的な像である。しかしながら、この像は、特定ユーザに対して独自のものにしてもよい。これは、同様な目的で、ユーザからのデザイン要素（例えば、ユーザの写真）、若しくはナンバープレート番号等の情報等を含んでもよく、又はユーザが視覚的要素をカスタマイズするように、ステッカ若しくはデカールを含むことができる。また、ステッカ又はデカールは、ユーザの所望に合うように変更可能にしてもよい。
【００２６】
更に、本発明は、好適には、壁に取着するように適合されるが、床や、更に好適には部屋の天井に取着するように変形してもよい。また、本装置を、ドア、窓、机、キャビネット、ドレッサ、テーブル面といった家具等の装置に取着してもよい。
【００２７】
また、他の第２視覚的要素を、第１視覚的要素の印象を増強するために含むことができる。例えば、壁から出て来る本装置の印象を強めるために、発泡レンガ又は発泡ボードを第１視覚的要素周りの領域に含んでもよい。
【図面の簡単な説明】
【００２８】
次に、添付図と関連して、本発明の実施形態について、例示目的でのみ説明する。
【００２９】
【図１】本発明の一実施形態の代表例を示すサッカーボール照明体の斜視図である。
【図２】図１のサッカーボール照明体を更に詳細に示す、断面図である。
【図３】棚及び電子装置を含む、架空のキャラクタ表現体の斜視図である。
【発明を実施するための形態】
【００３０】
本発明を特徴づけると考えられる新規の特徴については、その更なる目的及び利点と共に、その構造、構成、使用及び操作方法に関して、本発明の現在の好適な実施形態を例示目的でのみ説明する、以下の図面から一層よく理解できるであろう。図面では、同じ参照番号は同じ要素を表している。
【００３１】
しかしながら、明らかに、図面は、図示及び説明のみを目的しており、本発明を限定する定義として意図されるものではないと理解される。
【００３２】
図１を参照すると、本発明によるサッカーボール照明体１０を示している。サッカーボール球殻１２を、半円形の半透明なプラスチック材料から製造する。サッカーボール球殻１２は、サッカーボールの規定サイズとし、本物に見えるように白黒に着色する。しかしながら、任意の適当な配色又はデザインを使用してもよい。
【００３３】
サッカーボール球殻１２を、壁１４に取り付け、球殻１２の周辺には、壁中への一連のひび割れを表現する、透明でフレキシブルなプラスチックフィルム１８に印刷したデカール１６がある。実際には、デカール１６を、まず壁に貼り付け、次に球殻１２をフィルム１８の略中心に取り付けると好ましい。
【００３４】
図２では、球殻１２が壁１４から突出しており、リング３０の取着によって壁１４に保持されていることが分かる。球殻１２内に収容されているのは、一連のＬＥＤ照明要素２２に接続する電池２０である。必要に応じて、ＬＥＤ照明要素２２を切／入するために、リモコン（図示せず）又はモーションセンサ（図示せず）によって操作する無線センサスイッチ２４を提供する。また、センサスイッチ２４は、設定期間（例えば、６０分）後に、自動的にＬＥＤ照明要素２２を切るタイマ要素も含む。
【００３５】
また、標準的な照明スイッチを、無線センサスイッチの代りに使用してもよい。
【００３６】
図３では、架空のキャラクタ４０の表現体を示しており、該表現体は、壁１４から突出し、フィルム１８Ａ上のデカール１６Ａで囲んだ、キャラクタ４０の部分を含み、デカール１６Ａは、壁１４内のひび割れ及び裂け目を示している。キャラクタ４０の頭部及び上半身４４及び片方の手４６が、壁１４から延出している。手４６のひらに、ＭＰ３プレーヤを保持するように適合された棚４８を配置し、配線を、腕４６内に設けて、頭部４４に配置した多機能時計、ラジオ、ＭＰ３プレーヤ５０に接続する。
【００３７】
指５２は、手４６から延在しており、衣服等を掛けるフックとして使用できる。
【００３８】
デカールフィルム１８Ａの外側周りに、プラスチック製レンガ表現体の性質を帯びた他の二次的視覚的要素を加えて、レンガが壁から落下した、又は壁から落下している途中だということを示唆してもよい。
【００３９】
このように、本発明において、前述した目標、目的及び効果を完全に満足する三次元の視覚的装飾要素を提供していることは、明らかである。従って、本発明の特定の実施形態について説明したが、当然ながら、それらの代替、変更、変形が、当業者に示唆される可能性があり、本明細書は、付記したクレームの範囲内である、そうした代替、変更、変形の全てを包含するものとする。
【００４０】
更に、明瞭化のため、特に明示しない限り、単語「含む（ｃｏｍｐｒｉｓｅ）」及び同単語の変形である「含む（ｃｏｍｐｒｉｓｉｎｇ）」及び「含む（ｃｏｍｐｒｉｓｅｓ）」等は、本明細書の本文及びクレームで使用する際には、他の添加物、構成要素、完全体（ｉｎｔｅｇｅｒｓ）又は工程を排除するものではない。
【００４１】
また、特に断りのない限り、本明細書に記載した特徴部の全てを、上記態様の何れかと、任意の組合せで、組合せてもよい。
【００４２】
また、単語「実質的に（ｓｕｂｓｔａｎｔｉａｌｌｙ）」又は「本質的に（ｅｓｓｅｎｔｉａｌｌｙ）」は、形容詞又は副詞と共に使用する際には、特定の特徴の範囲を拡充するものとする。例えば、「実質的に平坦な」は、平坦、殆ど平坦及び／又は平坦な要素と関連する特徴を示すことを意図するものとする。
【００４３】
更に、用語「彼（ｈｅ）」、「彼に／を（ｈｉｍ）」又は「彼の／彼のもの（ｈｉｓ）」の使用は、明確に男性の人を指すことを意図してはおらず、容易に其々「彼女（ｓｈｅ）」、「彼女に／を／の（ｈｅｒ）」又は「彼女のもの（ｈｅｒｓ）」と解釈できる。
【００４４】
また、この詳解では、本発明者に既知の従来技術について記述したが、詳解した全ての技術が本願に対して引用可能なことを認めるわけではない。
【図１】
2013545629.tif 000003
【図２】
2013545629.tif 000004
【図３】
2013545629.tif 000005
【国際調査報告】
2013545629.tif 000006
2013545629.tif 000007